(57)【特許請求の範囲】
【請求項１】
樹脂を含んでなる樹脂層と、
前記樹脂層の少なくとも一方の面に設けられ、剥離層を介して互いに剥離可能に積層されてなる二枚の金属層を備えた剥離性金属層と、
前記剥離性金属層に設けられる位置決め孔と、
前記樹脂層から連続的に前記位置決め孔内に設けられて前記位置決め孔の少なくとも内周面を封止する、前記樹脂を含んでなる孔表面封止部と、
を備えてなり、前記剥離性金属層が前記樹脂層の両面に設けられてなり、該両面の剥離性金属層の位置決め孔が互いに一致する、プリント配線板製造用積層体。
【請求項２】
樹脂を含んでなる樹脂層と、
前記樹脂層の少なくとも一方の面に設けられ、剥離層を介して互いに剥離可能に積層されてなる二枚の金属層を備えた剥離性金属層と、
前記剥離性金属層に設けられる位置決め孔と、
前記樹脂層から連続的に前記位置決め孔内に設けられて前記位置決め孔の少なくとも内周面を封止する、前記樹脂を含んでなる孔表面封止部と、
を備えてなり、前記樹脂層が位置決め孔を有していないか、又は前記剥離性金属層が前記樹脂層よりも多い数の位置決め孔を有しており、それにより前記剥離性金属層の位置決め孔の全て、又は前記樹脂層の位置決め孔と一致しない前記剥離性金属層の位置決め孔が非貫通孔として形成される、プリント配線板製造用積層体。
【請求項３】
前記位置決め孔が剥離性金属層の外縁近傍に設けられる、請求項１又は２に記載の積層体。
【請求項４】
前記位置決め孔の内周面には前記剥離性金属層の断面が露出していない、請求項１〜３のいずれか一項に記載の積層体。
【請求項５】
前記樹脂層から連続して前記剥離性金属層の外縁の端面に設けられて該端面を封止する、前記樹脂を含んでなる端面封止部をさらに備えてなる、請求項１〜４のいずれか一項に記載の積層体。
【請求項６】
前記端面には前記剥離性金属層の断面が露出していない、請求項５に記載の積層体。
【請求項７】
前記樹脂層が前記剥離性金属層よりも面積が大きく、前記剥離性金属層の外縁が前記樹脂層の外縁よりも内側に位置し、前記端面封止部が前記剥離性金属層の外縁の全域にわたって形成されてなる、請求項５又は６に記載の積層体。
【請求項８】
前記樹脂層がプリプレグ及び／又は樹脂シートである、請求項１〜７のいずれか一項に記載の積層体。
【請求項９】
前記樹脂層も位置決め孔を備えてなり、該位置決め孔が前記剥離性金属層に形成された位置決め孔と対応して貫通孔を形成する、請求項１〜８のいずれか一項に記載の積層体。
【請求項１０】
前記剥離性金属層が前記樹脂層よりも多い数の位置決め孔を有しており、それにより前記樹脂層の位置決め孔と一致しない前記剥離性金属層の位置決め孔が非貫通孔として形成される、請求項９に記載の積層体。
【請求項１１】
プリント配線板製造用積層体の製造方法であって、
樹脂を含んでなる樹脂層を用意する工程と、
剥離層を介して互いに剥離可能に積層されてなる二枚の金属箔を備えてなり、位置決め孔が形成された剥離性金属箔を用意する工程と、
前記樹脂層の少なくとも一方の面に前記剥離性金属箔を積層する工程と、
前記樹脂層及び前記剥離性金属箔を加熱しながらプレスし、それにより、前記樹脂を前記加熱により軟化又は流動化させて前記位置決め孔内に行き渡らせて、前記位置決め孔内に露出する前記剥離性金属箔の断面を封止し、積層体を得る工程と、
を含み、前記積層工程において、前記樹脂層の両面に前記剥離性金属箔が積層され、その際、前記両面の剥離性金属箔の位置決め孔が互いに一致するように前記積層が行われる、方法。
【請求項１２】
プリント配線板製造用積層体の製造方法であって、
樹脂を含んでなる樹脂層を用意する工程と、
剥離層を介して互いに剥離可能に積層されてなる二枚の金属箔を備えてなり、位置決め孔が形成された剥離性金属箔を用意する工程と、
前記樹脂層の少なくとも一方の面に前記剥離性金属箔を積層する工程と、
前記樹脂層及び前記剥離性金属箔を加熱しながらプレスし、それにより、前記樹脂を前記加熱により軟化又は流動化させて前記位置決め孔内に行き渡らせて、前記位置決め孔内に露出する前記剥離性金属箔の断面を封止し、積層体を得る工程と、
を含み、前記樹脂層が位置決め孔を有していないか、又は前記剥離性金属箔が前記樹脂層よりも多い数の位置決め孔を有しており、それにより前記積層時に前記剥離性金属箔の位置決め孔の全て、又は前記樹脂層の位置決め孔と一致しない前記剥離性金属箔の位置決め孔が、前記樹脂層で塞がれた非貫通孔として形成される、方法。
【請求項１３】
前記位置決め孔が剥離性金属箔の外縁近傍に設けられる、請求項１１又は１２に記載の方法。
【請求項１４】
前記プレスの際、前記軟化又は流動化された樹脂を前記剥離性金属箔の外縁の端面にも行き渡らせて、前記端面に露出する前記剥離性金属箔の断面をも封止する、請求項１１〜１３のいずれか一項に記載の方法。
【請求項１５】
前記樹脂層が前記剥離性金属箔よりも面積が大きく、前記剥離性金属箔の外縁が前記樹脂層の外縁よりも内側に位置し、それにより前記剥離性金属箔の外縁の全域が前記樹脂で封止される、請求項１１〜１４のいずれか一項に記載の方法。
【請求項１６】
前記樹脂層がプリプレグ及び／又は樹脂シートである、請求項１１〜１５のいずれか一項に記載の方法。
【請求項１７】
前記樹脂層も位置決め孔を備えてなり、該樹脂層の位置決め孔が前記剥離性金属箔の位置決め孔と対応して貫通孔を形成するように前記積層が行われる、請求項１１〜１６のいずれか一項に記載の方法。
【請求項１８】
前記積層工程が、前記貫通孔に位置決めピンを挿入して前記積層体の位置決めを行う工程を含み、かつ、前記方法が、前記プレス後に前記位置決めピンを引き抜く工程をさらに含んでなる、請求項１７に記載の方法。
【請求項１９】
前記剥離性金属箔が前記樹脂層よりも多い数の位置決め孔を有しており、それにより前記樹脂層の位置決め孔と一致しない前記剥離性金属箔の位置決め孔が、前記樹脂層で塞がれた非貫通孔として形成される、請求項１７又は１８に記載の方法。
【請求項２０】
前記剥離性金属箔の位置決め孔が、前記樹脂層で塞がれた非貫通孔として形成される場合、前記プレス後に、前記積層体の前記非貫通孔を穿孔して、前記位置決め孔よりも小さい径の貫通孔を形成する工程をさらに含む、請求項１２〜１９のいずれか一項に記載の方法。
【請求項２１】
プリント配線板の製造方法であって、
（ａ）請求項１〜１０のいずれか一項に記載の積層体を用意する、又は請求項１１〜２０のいずれか一項に記載の方法に従い積層体を用意する工程と、
（ｂ）前記位置決め孔の内側に位置決めピンを挿入し、樹脂層、又は樹脂層及び金属箔を前記積層体上に積層する工程と、
（ｃ）上記工程（ｂ）で積層された、前記樹脂層、又は前記樹脂層及び前記金属箔を加工してビルドアップ配線層を形成する工程と、
（ｄ）上記工程（ｂ）及び（ｃ）をこの順に繰り返してビルドアップ配線層付積層体を得る工程と、
（ｅ）前記ビルドアップ配線層付積層体から前記位置決め孔を包含する不要な領域を切除して、前記剥離性金属層又は剥離性金属箔の断面を露出させる工程と、
（ｆ）前記ビルドアップ配線層付積層体を前記剥離層で分離して前記ビルドアップ配線層を含む多層配線板を得る工程と、
（ｇ）前記多層配線板を加工してプリント配線板を得る工程と、
を含み、前記（ｄ）工程において繰り返される場合の前記（ｂ）工程において、前記位置決めピンが、既に位置決めピンが挿入された位置決め孔以外の位置決め孔の内側に挿入される、方法。
【請求項２２】
前記（ｂ）工程が、前記位置決めピンの挿入に先立ち、前記位置決めピンが挿入されるべき位置決め孔の内側を穿孔して、前記位置決め孔よりも小さい貫通孔を形成する工程をさらに含む、請求項２１に記載の方法。
【請求項２３】
１回の積層に用いられる位置決め孔の数をＮ１、前記積層体の片側に積層されるべき前記ビルドアップ配線層の数をＮＢＵとした場合に、前記（ａ）工程で用意される積層体の片面における前記剥離性金属層又は剥離性金属箔の位置決め孔の数が、Ｎ１×ＮＢＵ以上である（ただし、Ｎ１が２以上の整数であり、ＮＢＵが１以上の整数である）、請求項２１又は２２に記載の方法。
【請求項２４】
前記Ｎ１が４であり、かつ、前記ＮＢＵが２以上である、請求項２３に記載の方法。
【請求項２５】
前記（ｃ）工程におけるビルドアップ配線層の形成に先立ち、前記剥離性金属層又は剥離性金属箔の表面に配線を形成する工程をさらに含んでなる、請求項２１〜２４のいずれか一項に記載の方法。
【発明の詳細な説明】
【技術分野】
【０００１】
本発明は、プリント配線板製造用積層体及びその製造方法、並びにプリント配線板の製造方法に関するものである。
【背景技術】
【０００２】
近年、プリント配線板の実装密度を上げて小型化するために、プリント配線板の多層化が広く行われるようになってきている。このような多層プリント配線板は、携帯用電子機器の多くで、軽量化や小型化を目的として利用されている。そして、この多層プリント配線板には、層間絶縁層の更なる厚みの低減、及び配線板としてのより一層の軽量化が要求されている。【０００３】
このような要求を満足させる技術として、コアレスビルドアップ法を用いた製造方法が採用されている。そして、このコアレスビルドアップ法において、支持基板と多層プリント配線板との剥離にキャリア箔付銅箔を使用することが提案されている。例えば、特許文献１（国際公開第２０１２／１３３６３８号）には、少なくとも銅箔層／剥離層／耐熱金属層／キャリア箔の４層を備えるキャリア箔付銅箔を用いて、当該キャリア箔付銅箔のキャリア箔の表面に絶縁層構成材を張り合わせた支持基板を得て、当該支持基板のキャリア箔付銅箔の銅箔層の表面にビルドアップ配線層を形成してビルドアップ配線層付支持基板とし、これを剥離層で分離して多層積層板を得て、当該多層積層板に必要な加工を施して多層プリント配線板を得るという多層プリント配線板の製造方法が開示されている。【０００４】
ところで、コアレスビルドアップ法を用いた多層プリント配線板の製造において、キャリア箔付銅箔を基板上に積層した後に、その周縁部にキャリア箔付銅箔及び基板を貫通する基準穴をドリル加工等により形成することが一般的に行われている。この基準穴は、ビルドアップ配線層の形成時に位置決めピンを挿入して位置決めを行うために用いられる。しかしながら、ドリル加工等により形成される基準穴の側面にはキャリア付銅箔の断面が露出することになり、特にキャリア箔付銅箔の断面（特に剥離層界面）は切断に伴う機械的ダメージを受けやすい。このため、キャリア箔及び銅箔が剥離層界面で部分的に剥がれたり、或いはそうでなくとも剥がれやすい状態となる。このような状態でビルドアップ配線を形成すると、ウェットプロセスで使用される薬液が剥離層界面から染み込んでキャリア箔付銅箔の剥がれが促進されるおそれがあり、製造歩留りの低下を招きうる。【０００５】
かかる問題に対処すべく、特許文献２（特開２００７−２１４４２７号公報）には、開口部が設けられた剥離性金属箔を支持体の上に積層し、それらを貫通する基準穴を形成した後にビルドアップ配線を形成する、配線基板の製造方法において、基準穴形成の際、剥離性金属箔の開口部の内側の支持体の部分を加工することにより、開口部より小さな径の貫通孔を形成して内部に突出部を設け、剥離性金属箔及び基準穴の突出部の上に樹脂層を形成して開口部の側面を被覆することが開示されている。
【先行技術文献】
【特許文献】
【０００６】
【特許文献１】国際公開第２０１２／１３３６３８号
【特許文献２】特開２００７−２１４４２７号公報
【発明の概要】
【０００７】
しかしながら、特許文献２に開示される手法では、基準穴形成の際、剥離性金属箔の開口部の内側の支持体の部分を加工することにより、開口部より小さな径の貫通孔を形成して内部に突出部を設けることが必要であり、また、剥離性金属箔及び支持体以外に樹脂層を形成する必要があり、加工工程が複雑となる。その上、剥離性金属箔上が樹脂層で覆われることから、剥離性金属箔の表面に配線を直接形成して配線パターンを予め形成することができないとの不都合もある。
【０００８】
本発明者は、今般、予め位置決め孔が形成された剥離性金属箔を備えた利便性の高い構成でありながら、剥離性金属箔の一面側が配線形成可能に露出し、かつ、複雑な加工を事後的に要することなく位置決め孔内における金属箔の剥がれや剥離層界面への薬液の染み込み等を効果的に防止可能な、プリント配線板製造用積層体を提供できるとの知見を得た。
【０００９】
したがって、本発明の目的は、予め位置決め孔が形成された剥離性金属層を備えた利便性の高い構成でありながら、剥離性金属層の一面側が配線形成可能に露出し、かつ、複雑な加工を事後的に要することなく位置決め孔内における金属層の剥がれや剥離層界面への薬液の染み込み等を効果的に防止可能な、プリント配線板製造用積層体を提供することにある。また、本発明の目的は、そのようなプリント配線板製造用積層体の製造方法及びこの積層体を用いたプリント配線板の製造方法を提供することにもある。
【００１０】
本発明の一態様によれば、樹脂を含んでなる樹脂層と、
前記樹脂層の少なくとも一方の面に設けられ、剥離層を介して互いに剥離可能に積層されてなる二枚の金属層を備えた剥離性金属層と、
前記剥離性金属層に設けられる位置決め孔と、
前記樹脂層から連続的に前記位置決め孔内に設けられて前記位置決め孔の少なくとも内周面を封止する、前記樹脂を含んでなる孔表面封止部と、
を備えてなる、プリント配線板製造用積層体が提供される。
【００１１】
本発明の別の態様によれば、プリント配線板製造用積層体の製造方法であって、
樹脂を含んでなる樹脂層を用意する工程と、
剥離層を介して互いに剥離可能に積層されてなる二枚の金属箔を備えてなり、位置決め孔が形成された剥離性金属箔を用意する工程と、
前記樹脂層の少なくとも一方の面に前記剥離性金属箔を積層する工程と、
前記樹脂層及び前記剥離性金属箔を加熱しながらプレスし、それにより、前記樹脂を前記加熱により軟化又は流動化させて前記位置決め孔内に行き渡らせて、前記位置決め孔内に露出する前記剥離性金属箔の断面を封止し、積層体を得る工程と、
を含む、方法が提供される。
【００１２】
本発明の更に別の態様によれば、プリント配線板の製造方法であって、
（ａ）上記態様の積層体を用意する、又は上記態様の方法に従い積層体を用意する工程と、
（ｂ）前記位置決め孔の内側に位置決めピンを挿入し、樹脂層、又は樹脂層及び金属箔を前記積層体上に積層する工程と、
（ｃ）上記工程（ｂ）で積層された、前記樹脂層、又は前記樹脂層及び前記金属箔を加工してビルドアップ配線層を形成する工程と、
（ｄ）上記工程（ｂ）及び（ｃ）をこの順に繰り返してビルドアップ配線層付積層体を得る工程と、
（ｅ）前記ビルドアップ配線層付積層体から前記位置決め孔を包含する不要な領域を切除して、前記剥離性金属層又は剥離性金属箔の断面を露出させる工程と、
（ｆ）前記ビルドアップ配線層付積層体を前記剥離層で分離して前記ビルドアップ配線層を含む多層配線板を得る工程と、
（ｇ）前記多層配線板を加工してプリント配線板を得る工程と、
を含む、方法が提供される。
【図面の簡単な説明】
【００１３】
【図１】本発明によるプリント配線板製造用積層体の一例を示す模式断面図である。
【図２】本発明によるプリント配線板製造用積層体の他の一例を示す模式断面図である。
【図３】本発明によるプリント配線板製造用積層体の他の一例を示す模式断面図である。
【図４】本発明によるプリント配線板製造用積層体の他の一例を示す模式上面図である。
【図５】本発明によるプリント配線板製造用積層体の他の一例を示す模式断面図である。
【図６】本発明によるプリント配線板製造用積層体の製造方法の一例を説明する工程流れ図である。
【図７】本発明によるプリント配線板製造用積層体の製造方法の他の一例を説明する工程流れ図である。
【図８Ａ】本発明によるプリント配線板の製造方法の一例を説明する工程流れ図である。
【図８Ｂ】本発明によるプリント配線板の製造方法の一例を説明する工程流れ図であり、図８Ａの続きに相当する。
【図９Ａ】本発明によるプリント配線板の製造工程における剥離直前の状態を示す模式断面図である。
【図９Ｂ】本発明によるプリント配線板の製造工程における剥離直後の状態を示す模式断面図である。
【発明を実施するための形態】
【００１４】
プリント配線板製造用積層体
図１に本発明によるプリント配線板製造用積層体の一例が示される。図１に示されるように、プリント配線板製造用積層体１０（以下、積層体１０という）は、樹脂層１２と、樹脂層１２の少なくとも一方の面に設けられる剥離性金属層１４と、剥離性金属層１４に設けられる位置決め孔１８と、位置決め孔１８内に設けられる孔表面封止部２０を備えてなる。樹脂層１２は樹脂を含んでなる層であり、樹脂以外の成分も含みうる。剥離性金属層１４は、剥離層１５を介して互いに剥離可能に積層されてなる二枚の金属層１６ａ，１６ｂを備えてなる。孔表面封止部２０は、樹脂層１２から連続的に位置決め孔１８内に設けられて位置決め孔１８の少なくとも内周面（すなわち剥離性金属層１４の断面）を封止する部分であり、樹脂層１２の樹脂を含んでなる。孔表面封止部２０は、図１に示されるように位置決め孔１８を完全に塞ぐものであってもよいし、例えば図２に示されるように位置決め孔１８の内周面（すなわち剥離性金属層１４の断面）のみを封止する構成としてもよく、その場合には位置決め孔１８の内側に貫通孔が存在しうる。位置決め孔１８内の一部又は全部が樹脂で塞がれ非貫通孔とされている場合であっても、プリント配線板製造時に位置決めピンを通すための貫通孔を位置決め孔１８よりも小さい径で形成すれば、孔表面封止部２０は位置決め孔１８の内周面に残存させることができる。いずれにしても、剥離性金属層１４に位置決め孔１８が予め形成されていることで、本発明のプリント配線板製造用積層体のユーザーは精緻さが要求されるが故に煩雑な作業である剥離性金属層１４への位置決め孔１８の形成を省略することができる。
【００１５】
上述のとおり、孔表面封止部２０は、樹脂層１２に構成成分として含まれる樹脂（と同じ樹脂）で構成されている。この構成は、樹脂層１２に含まれている樹脂の一部を加熱しながらプレスすることにより位置決め孔１８内に到達させることで好ましく実現可能である。したがって孔表面封止部２０は樹脂層１２から連続的に位置決め孔１８内に設けられているので、孔表面封止部２０は樹脂層１２とシームレスにつながっている。したがって、位置決め孔１８内における剥離性金属層１４の断面を確実に封止することができる。前述したとおり、剥離性金属層の断面はドリル加工等による切断に伴い機械的ダメージを受けやすく、それ故、キャリア箔及び銅箔が剥離層界面で部分的に剥がれたり、或いはそうでなくとも剥がれやすい状態となる。そして、このような状態でビルドアップ配線を形成すると、ウェットプロセスで使用される薬液が剥離層界面から染み込んでキャリア箔付銅箔の剥がれが促進されるおそれがあり、製造歩留りの低下を招きうるものであった。この点、本発明の積層体１０によれば、位置決め孔１８内における剥離性金属層１４の断面を確実に封止できるので、上記問題を解消することができる。その上、本発明の積層体１０は予め位置決め孔１８が形成されているため、特許文献２に開示されるような事後的に行われる複雑な加工が不要となる。この点、位置決め孔１８内の一部又は全部が樹脂で塞がれている場合であっても、プリント配線板製造時に位置決めピンを通すための貫通孔を位置決め孔１８よりも小さい径で形成しさえすれば、孔表面封止部２０は位置決め孔１８の内周面に残存させることができるので、特許文献２のような複雑な加工を要しないことに変わりはない。その上、本発明の積層体１０によれば、剥離性金属層１４上の一面側が樹脂層で覆われることなく露出していることから、剥離性金属層の表面に配線を直接形成して配線パターンを予め形成することができる。このように、本発明によれば、予め位置決め孔１８が形成された剥離性金属層１４を備えた利便性の高い構成でありながら、剥離性金属層１４の一面側が配線形成可能に露出し、かつ、複雑な加工を事後的に要することなく（ビルドアップ配線層形成時における）位置決め孔１８内における金属層１６ａ，１６ｂの剥がれや剥離層界面への薬液の染み込み等を効果的に防止可能な、プリント配線板製造用積層体を提供することができる。
【００１６】
（１）樹脂層
樹脂層１２は、樹脂、好ましくは絶縁性樹脂を含んでなる。樹脂層１２はプリプレグ及び／又は樹脂シートであるのが好ましく、より好ましくはプリプレグである。プリプレグとは、合成樹脂板、ガラス板、ガラス織布、ガラス不織布、紙等の基材に合成樹脂を含浸させた複合材料の総称である。したがって、樹脂層１２がプリプレグで構成される場合、プリプレグに含浸される樹脂で孔表面封止部２０を構成することができる。プリプレグに含浸される絶縁性樹脂の好ましい例としては、エポキシ樹脂、シアネート樹脂、ビスマレイミドトリアジン樹脂（ＢＴ樹脂）、ポリフェニレンエーテル樹脂、フェノール樹脂等が挙げられる。また、樹脂シートを構成する絶縁性樹脂の例としては、エポキシ樹脂、ポリイミド樹脂、ポリエステル樹脂等の絶縁樹脂が挙げられる。また、樹脂層１２には絶縁性を向上する等の観点からシリカ、アルミナ等の各種無機粒子からなるフィラー粒子等が含有されていてもよい。樹脂層１２の厚さは特に限定されないが、３〜１０００μｍが好ましく、より好ましくは５〜４００μｍであり、さらに好ましくは１０〜２００μｍである。
【００１７】
図２に示されるように、樹脂層１２も位置決め孔を備えてなり、位置決め孔が剥離性金属層に形成された位置決め孔１８と対応して貫通孔を形成する構成としてもよい。こうすることで、所望により貫通孔に位置決めピンを挿入して、積層体１０を形成する際における樹脂層１２と剥離性金属層１４との位置決めを正確に行うことができる。これは、後述する図４に示されるように、樹脂層１２が剥離性金属箔１４よりも面積が大きく、剥離性金属箔１４の外縁が樹脂層１２の外縁よりも内側に位置するように積層を行う際に、位置決め孔１８を基準にプレス時の位置ずれを防止できる点で有利となる。また、後述する図５に示されるように、剥離性金属箔１４，１４が樹脂層１２の両面に設けられる際に、両面側の２枚の剥離性金属箔１４，１４の間で位置決め孔１８，１８を揃えて正確に位置決めする際にも有利である。その際には、位置決め孔１８，１８の内側に位置決めピンを挿入してプレスするのがより好ましい。いずれにしても、本発明の積層体１０においては剥離性金属層１４の位置決め孔１８の内周面が孔表面封止部２０で封止されているので、ビルドアップ配線層形成時における位置決め孔１８内における金属層１６ａ，１６ｂの剥がれや剥離層界面への薬液の染み込み等を効果的に防止することができる。
【００１８】
前述のとおり、樹脂層１２は位置決め孔を有しなくてもよく、その場合は、剥離性金属層１４の位置決め孔１８の全てが（樹脂層１２で塞がれるため）非貫通孔として形成されることになる。また、剥離性金属層１４は樹脂層１２よりも多い数の位置決め孔１８を有していてもよく、その場合は、樹脂層１２の位置決め孔と一致しない剥離性金属層１４の位置決め孔１８が（樹脂層１２で塞がれるため）非貫通孔として形成されることになる。すなわち、剥離性金属層１４の位置決め孔１８は図１に示されるように樹脂で埋まっていて非貫通孔とされていてよい。この場合であっても、プリント配線板製造時に位置決めピンを通すための貫通孔を位置決め孔１８よりも小さい径で形成すれば、孔表面封止部２０は位置決め孔１８の内周面に残存させることができる。
【００１９】
（２）剥離性金属層
剥離性金属層１４（典型的には剥離性金属箔）は、剥離層１５を介して互いに剥離可能に積層されてなる二枚の金属層１６ａ，１６ｂ（典型的には二枚の金属箔）を備えてなる。二枚の金属層１６ａ，１６ｂは剥離層１５を剥離界面として互いに所望の引き剥がし強さで剥離可能なものであるのが好ましい。金属層１６ａ，１６ｂは互いに同種の金属層であってもよいし、異種の金属層であってもよい。金属層１６ａ，１６ｂの各々はアルミニウム、銅、ステンレス、ニッケル等であってよく、好ましくは銅である。また、金属層１６ａ，１６ｂの各々の厚さは特に限定されないが、好ましくは０．１〜２００μｍ、より好ましくは０．５〜３５μｍ、さらに好ましくは１〜１８μｍである。いずれにしても、剥離性金属層１４はキャリア箔付金属箔に代表されるような公知のものを用いればよく、市販の製品であってよい。キャリア箔付金属箔は公知の構成であってよく、二枚の金属層１６ａ，１６ｂのいずれをキャリア箔としてもよい。
【００２０】
剥離性金属層１４の特に好ましい例として、キャリア箔付銅箔が挙げられる。この場合、金属層１６ａ（樹脂層１２と接した内側の層）及び金属層１６ｂ（樹脂層１２から離れた外側の層）がそれぞれキャリア箔及び銅箔（例えば極薄銅箔）であるのが好ましいが、その逆であってもよい。キャリア箔の例としては、アルミニウム箔、銅箔、表面をメタルコーティングした樹脂フィルム等が挙げられ、好ましくは銅箔である。銅箔は圧延銅箔及び電解銅箔のいずれであってもよい。キャリア箔の厚さは典型的には２００μｍ以下であり、好ましくは１８μｍ〜２００μｍである。一方、キャリア箔付銅箔の銅箔はキャリア箔付銅箔としての利点を活かすべく、極薄銅箔の形態で構成されるのが好ましい。極薄銅箔としての好ましい厚さは０．１μｍ〜８μｍであり、より好ましくは０．５μｍ〜６μｍ、さらに好ましくは１μｍ〜３μｍである。極薄銅箔は、無電解銅めっき法及び電解銅めっき法等の湿式成膜法、スパッタリング及び化学蒸着等の乾式成膜法、又はそれらの組合せにより形成したものであってよい。
【００２１】
剥離層１５は、金属層の引き剥がし強度を弱くし、該強度の安定性を担保し、さらにはプレス成形時に二枚の金属層１６ａ，１６ｂ（例えばキャリア箔と銅箔）の間で起こりうる相互拡散を抑制する機能を有する層である。剥離層は、有機剥離層及び無機剥離層のいずれであってもよい。有機剥離層に用いられる有機成分の例としては、窒素含有有機化合物、硫黄含有有機化合物、カルボン酸等が挙げられる。一方、無機剥離層に用いられる無機成分の例としては、Ｎｉ、Ｍｏ、Ｃｏ、Ｃｒ、Ｆｅ、Ｔｉ、Ｗ、Ｐ、Ｚｎ、クロメート処理膜等が挙げられる。なお、剥離層の形成は金属層の表面に剥離層成分含有溶液を接触させ、剥離層成分を金属層の表面に固定されること等により行えばよい。金属層の剥離層成分含有溶液への接触は、剥離層成分含有溶液への浸漬、剥離層成分含有溶液の噴霧、剥離層成分含有溶液の流下等により行えばよい。また、剥離層成分の金属層表面への固定は、剥離層成分含有溶液の乾燥、剥離層成分含有溶液中の剥離層成分の電着等により行えばよい。剥離層の厚さは、典型的には１ｎｍ〜１μｍであり、好ましくは５ｎｍ〜５００ｎｍである。
【００２２】
所望により、剥離層１５と金属層１６ａ及び／又は１６ｂの間に他の機能層を設けてもよい。そのような他の機能層の例としては補助金属層が挙げられる。補助金属層はニッケル及び／又はコバルトからなるのが好ましい。このような補助金属層を形成することで、高温又は長時間の熱間プレス成形時に二枚の金属層１６ａ，１６ｂ（例えばキャリア箔と銅箔）の間で起こりうる相互拡散を抑制し、キャリア箔等の箔の引き剥がし強度の安定性を担保することができる。補助金属層の厚さは、０．００１〜３μｍとするのが好ましい。
【００２３】
（３）位置決め孔
位置決め孔１８は剥離性金属層１４に設けられる孔である。樹脂層１２には位置決め孔１８を設けなくてよく、それ故、位置決め孔１８は樹脂層１２で塞がれた非貫通孔でありうる。もっとも、樹脂層１２の両面に剥離性金属層１４を設ける場合や樹脂層１２と大きさの異なる剥離性金属層１４を設ける場合等に精度良く位置決めを行いたい場合には樹脂層１２にも位置決め孔を設けた状態で積層体１０が製造されるのが好ましく、この場合、積層体１０において剥離性金属層１４の位置決め孔１８が樹脂層１２にまで連通して貫通孔をもたらす構成となりうる。位置決め孔１８の形状は、円形、三角形、四角形等の様々な形状であってよく、好ましくは円形である。円形の場合、位置決め孔１８の直径は１〜１０ｍｍが好ましく、より好ましくは２〜５ｍｍである。位置決め孔１８は積層時（例えばビルドアップ配線層形成時）に位置決めピンが挿入されることが予定されているため、その形状及び大きさは、位置決めピンを引き抜いた際に位置決め孔１８の内周面に樹脂を残存させて孔表面封止部２０の機能を保持できるように設計されるのが好ましい。例えば、剥離性金属層１４の位置決め孔１８の径は、使用が想定される位置決めピンの径に対して１．０１〜３倍とするのが好ましく、より好ましくは１．０５〜２倍である。位置決め孔１８は剥離性金属層１４の外縁近傍に設けられるのが好ましい。この外縁近傍は、製品として使用されない領域であればよく、例えば剥離性金属層１４の外縁から５〜２０ｍｍ内側の領域である。こうすることでプリント配線板として使用可能な有効エリアを広くすることができる。
【００２４】
位置決め孔１８は複数個設けられるのが好ましい。これは、積層体１０がプリント配線板の製造に使用される際、ビルドアップ配線層を１層積層するごとに前回積層時とは別の位置決め孔１８に位置決めピンを挿入可能として位置決め精度を高めるためである。また、１回の積層に用いられる位置決め孔の数自体も１個より複数個（例えば剥離性金属層１４の四隅に計４個）の方がより確実な位置決めが可能となり好ましいからである。したがって、積層体１０は、１回の積層に用いられる位置決め孔の数をＮ１、積層体の片側に積層されるべきビルドアップ配線層の数をＮＢＵとした場合に、積層体の片面における剥離性金属層の位置決め孔の数が、Ｎ１×ＮＢＵ以上である（ただし、Ｎ１が２以上の整数であり、ＮＢＵが１以上の整数である）のが好ましい。１回の積層に用いられる位置決め孔の数Ｎ１は好ましくは３以上であり、より好ましくは４であり、この場合、剥離性金属層１４の四隅に形成されるのが特に好ましい。積層体の片側に積層されるべきビルドアップ配線層の数ＮＢＵは３以上が好ましい。例えば、Ｎ１が４であり、かつ、ＮＢＵが２以上であるのが好ましい。なお、樹脂層１２に剥離性金属箔１４を積層させる際の位置決め用にも位置決め孔１８を形成した場合、積層体の片面における剥離性金属箔１４の位置決め孔１８の数は積層回数が１回増えてＮ１×（ＮＢＵ＋１）以上となる。
【００２５】
（４）孔表面封止部
孔表面封止部２０は、樹脂層１２から連続的に位置決め孔１８内に設けられて位置決め孔１８の少なくとも内周面（剥離性金属層１４の断面に相当する）を封止する。このように孔表面封止部２０は樹脂層１２との連続性を有し、それ故、樹脂層１２の樹脂を含んで構成される。すなわち、孔表面封止部２０は樹脂層１２とシームレスにつながっている。したがって、位置決め孔１８内における剥離性金属層１４の断面を確実に封止することができる。このため、ビルドアップ配線層形成時における位置決め孔１８内における金属層１６ａ，１６ｂの剥がれや剥離層界面への薬液の染み込み等を効果的に防止することができる。その意味で、位置決め孔１８の内周面には剥離性金属層１４の断面が露出していないのが好ましい。
【００２６】
（５）端面封止部
剥離性金属層１４の外縁の端面２２には端面封止部２４がさらに設けられるのが好ましい。この端面封止部２４は、樹脂層１２から連続して剥離性金属層１４の外縁の端面２２に設けられてこの端面２２（剥離性金属層１４の断面に相当する）を封止する。このように端面封止部２４も、孔表面封止部２０と同様、樹脂層１２との連続性を有し、それ故、樹脂層１２の樹脂を含んで構成される。すなわち、端面封止部２４は樹脂層１２とシームレスにつながっている。したがって、剥離性金属層１４の外縁の端面２２を確実に封止することができる。このため、ビルドアップ配線層形成時における端面２２内における金属層１６ａ，１６ｂの剥がれや剥離層界面への薬液の染み込み等を効果的に防止することができる。特に、剥離性金属層１４が樹脂層１２と同じ大きさの場合は、端面２２をテープ等でマスキングして薬液の染み込みを防止することが従前行われていたが、端面封止部２４を予め備えていることで、そのような煩雑なマスキングが不要となり、製造工程の簡略化を図ることができる。その意味で、端面２２には剥離性金属層１４の断面が露出していないのが好ましい。
【００２７】
図４に示されるように、樹脂層１２が剥離性金属層１４よりも面積が大きく、剥離性金属層１４の外縁が樹脂層１２の外縁よりも内側に位置し、端面封止部２４が剥離性金属層１４の外縁の全域にわたって形成されてなるのが特に好ましい。こうすることで、剥離性金属層１４の全外縁にわたって端面２２を確実に封止することができる。このため、ビルドアップ配線層形成時における端面２２内における金属層１６ａ，１６ｂの剥がれや剥離層界面への薬液の染み込み等をより一層確実に防止することができる。この場合、剥離性金属層１４の外縁と樹脂層１２の外縁の間隔は１〜５０ｍｍが好ましく、より好ましくは１〜２０ｍｍであり、さらに好ましくは１〜１０ｍｍである。
【００２８】
図５に示されるように、剥離性金属層１４，１４が樹脂層１２の両面に設けられるのが好ましい。これにより、積層体１０の両面にビルドアップ配線層を形成できるため、プリント配線板の生産性が飛躍的に向上する。この場合、樹脂層１２の両面の剥離性金属層１４，１４の位置決め孔１８，１８が互いに一致する、すなわち正確に位置決めされてなるのが好ましい。樹脂層１２の両面の剥離性金属層１４，１４間における位置決め孔１８，１８のずれは±０．５ｍｍ以下が好ましく、より好ましくは±０．１ｍｍ以下である。ずれが小さいほど位置決め孔１８，１８の径を小さくすることができ、その結果、プリント配線板の有効エリアを広くすることができる。また、樹脂層１２の両面の剥離性金属層１４，１４のサイズの精度は、寸法許容差が±１．０ｍｍ以下が好ましく、より好ましくは±０．５ｍｍ以下である。このように精度が高いほど（すなわち寸法許容差が小さいほど）プリント配線板として使用可能な有効エリアを広くすることができる。
【００２９】
プリント配線板製造用積層体の製造方法
本発明によるプリント配線板製造用積層体は、図６及び７に示されるように、（Ａ）樹脂層１２と、位置決め孔１８が形成された剥離性金属箔１４とを用意し、（Ｂ）樹脂層１２の少なくとも一方の面に剥離性金属箔１４を積層し、（Ｃ）樹脂層１２及び剥離性金属箔１４を加熱しながらプレスし、それにより、樹脂層１２の樹脂を加熱により軟化又は流動化させて位置決め孔１８内に行き渡らせて、位置決め孔１８内に露出する剥離性金属箔１４の断面を封止することにより製造するのが好ましい。なお、図７に示される製造工程は位置決めピンＰを用いて樹脂層１２の両面に剥離性金属箔１４，１４を設ける態様であるが、本発明はこれに限定されず、例えば、図６に示されるように樹脂層１２の片面にのみ位置決めピンＰを用いないで剥離性金属箔１４を積層する態様であってもよい。
【００３０】
（Ａ）準備工程
樹脂層１２を用意する。樹脂層１２は、樹脂、好ましくは絶縁性樹脂を含んでなる。樹脂層１２はプリプレグ及び／又は樹脂シートであるのが好ましく、より好ましくはプリプレグである。プリプレグとは、合成樹脂板、ガラス板、ガラス織布、ガラス不織布、紙等の基材に合成樹脂を含浸させた複合材料の総称である。したがって、樹脂層１２がプリプレグで構成される場合、プリプレグに含浸される樹脂で孔表面封止部２０を構成することができる。プリプレグに含浸される絶縁性樹脂の好ましい例としては、エポキシ樹脂、シアネート樹脂、ビスマレイミドトリアジン樹脂（ＢＴ樹脂）、ポリフェニレンエーテル樹脂、フェノール樹脂等が挙げられる。また、樹脂シートを構成する絶縁性樹脂の例としては、エポキシ樹脂、ポリイミド樹脂、ポリエステル樹脂等の絶縁樹脂が挙げられる。また、樹脂層１２には絶縁性を向上する等の観点からシリカ、アルミナ等の各種無機粒子からなるフィラー粒子等が含有されていてもよい。樹脂層１２の厚さは特に限定されないが、３〜１０００μｍが好ましく、より好ましくは５〜４００μｍであり、さらに好ましくは１０〜２００μｍである。なお、図７に示される樹脂層１２には位置決め孔１９が設けられているが、位置決めに支障を来さないかぎり、樹脂層１２に位置決め孔１９を設けない構成としてもよいことについては前述したとおりである。なお、位置決め孔１９の形成は、ドリル加工やレーザー加工等の公知の手法により行えばよいが、位置決め孔１９の加工による樹脂粉等の飛散防止の観点から、レーザー加工が好ましい。また、予め樹脂層１２を孔加工用の保護フィルムやレーザー吸収フィルム等で挟持しておき、その後位置決め孔１９の形成及び保護フィルム等の剥離を行う方法も採用することができる。
【００３１】
また、位置決め孔１８が形成された剥離性金属箔１４を用意する。剥離性金属箔１４は、剥離層１５を介して互いに剥離可能に積層されてなる二枚の金属箔１６ａ，１６ｂを備えてなる。二枚の金属箔１６ａ，１６ｂは剥離層１５を剥離界面として互いに所望の引き剥がし強さで剥離可能なものであるのが好ましい。金属箔１６ａ，１６ｂは互いに同種の金属箔であってもよいし、異種の金属箔であってもよい。金属箔１６ａ，１６ｂの各々はアルミニウム箔、銅箔、ステンレス箔、ニッケル箔等であってよく、好ましくは銅箔である。また、金属箔１６ａ，１６ｂの各々の厚さは特に限定されないが、好ましくは０．１〜２００μｍ、より好ましくは０．５〜３５μｍ、さらに好ましくは１〜１８μｍである。いずれにしても、剥離性金属箔１４はキャリア箔付金属箔に代表されるような公知のものを用いればよく、市販の製品であってよい。剥離性金属箔１４の特に好ましい例として、キャリア箔付銅箔が挙げられ、その好ましい詳細は前述したとおりである。また、剥離層１５及び所望により設けられてよい他の機能層についての詳細についても前述したとおりである。
【００３２】
剥離性金属箔１４には位置決め孔１８が形成されている。位置決め孔１８の形成はドリル、レーザー、ブラスト加工等の公知の手法により行えばよい。特に、複数枚の剥離性金属箔１４を重ねた状態で一括して位置決め孔１８を形成する場合には、ドリル加工が好ましい。また、剥離性金属箔１４の外縁部との位置精度の向上を追及する場合には、レーザー加工が好ましい。位置決め孔１８の形状は、円形、三角形、四角形等の様々な形状であってよく、好ましくは円形である。円形の場合、位置決め孔１８の直径は１〜１０ｍｍが好ましく、より好ましくは２〜５ｍｍである。また、位置決め孔１８は積層時（例えばビルドアップ配線層形成時）に位置決めピンが挿入されることが予定されているため、その形状及び大きさは、位置決めピンを引き抜いた際に位置決め孔１８の内周面に樹脂を残存させて孔表面封止部２０の機能を保持できるように設計されるのが好ましい。例えば、剥離性金属箔１４の位置決め孔１８の径は、使用が想定される位置決めピンの径に対して１．０１〜３倍とするのが好ましく、より好ましくは１．０５〜２倍である。位置決め孔１８は剥離性金属箔１４の外縁近傍に設けられるのが好ましい。この外縁近傍は、製品として使用されない領域であればよく、例えば剥離性金属箔１４の外縁から５〜２０ｍｍ内側の領域である。こうすることでプリント配線板として使用可能な有効エリアを広くすることができる。位置決め孔１８は複数個設けられるのが好ましく、その詳細については前述したとおりである。
【００３３】
（Ｂ）積層工程
樹脂層１２の少なくとも一方の面に剥離性金属箔１４を積層する。この積層は、通常のプリント配線板製造プロセスにおいて銅箔とプリプレグ等との積層に採用される公知の条件及び手法に従って行えばよいが、剥離性金属箔１４及び樹脂層１２を所望の精度で位置決めして行うのが好ましい。例えば、図７に示されるように、樹脂層１２も位置決め孔１９を備えてなり、樹脂層１２の位置決め孔１９が剥離性金属箔１４に形成された位置決め孔１８と対応して貫通孔を形成するように積層してもよい。こうすることで、貫通孔を基準に樹脂層１２と剥離性金属箔１４との位置決めをより正確に行うことができる。
【００３４】
図７に示されるように、樹脂層１２の両面に剥離性金属箔１４，１４が積層される場合には、両面の剥離性金属箔１４，１４の位置決め孔１８，１８が互いに一致するように積層を行うのが好ましい。その際、樹脂層１２にも位置決め孔１９があると、両面側の２枚の剥離性金属箔１４，１４の間で位置決め孔１８，１８を揃えて正確に位置決めする際に有利である。また、積層工程の変形態様として、位置決め孔１８が形成された剥離性金属箔１４の一方の面に樹脂を塗布して樹脂層１２を設け、剥離性金属箔１４を有しない側（樹脂層１２側）に、位置決め孔１８が形成された別の剥離性金属箔１４を積層してもよい。
【００３５】
また、図４に示されるように、樹脂層１２が剥離性金属箔１４よりも面積が大きく、剥離性金属箔１４の外縁が樹脂層１２の外縁よりも内側に位置するように積層を行う際においても、樹脂層１２にも位置決め孔１９があると、位置決め孔１８を基準にプレス時の位置ずれを防止できる点でも有利となる。
【００３６】
いずれにしても、貫通孔に位置決めピンＰを挿入して位置決めを行うのが好ましく、この場合、積層後又はプレス後に位置決めピンＰを引き抜けばよい。すなわち、位置決め孔１８に位置決めピンを挿入してプレスするのがより好ましい。
【００３７】
（Ｃ）プレス工程
積層した樹脂層１２及び剥離性金属箔を加熱しながらプレスし、それにより、樹脂を加熱により軟化又は流動化させて位置決め孔１８内に行き渡らせて、位置決め孔１８内に露出する剥離性金属箔１４の断面を封止し、積層体１０を得る。こうすることで、孔表面封止部２０を樹脂層１２とシームレスにつながった形態で形成することができる。したがって、位置決め孔１８内における剥離性金属箔１４の断面を確実に封止することができる。このため、ビルドアップ配線層形成時における位置決め孔１８内における金属箔１６ａ，１６ｂの剥がれや剥離層界面への薬液の染み込み等を効果的に防止することができる。その意味で、位置決め孔１８の内周面で剥離性金属箔１４の断面が露出しないようにプレスを行うのが好ましい。プレス時の加熱温度は加熱により樹脂を軟化又は流動化可能な温度であれば特に限定されないが、好ましくは１００〜３５０℃、より好ましくは１５０〜２５０℃である。
【００３８】
プレスの際、軟化又は流動化された樹脂を剥離性金属箔１４の外縁の端面２２にも行き渡らせて、端面２２に露出する剥離性金属箔の断面をも封止するのが好ましい。こうすることで、端面封止部２４を樹脂層１２とシームレスにつながった形態で形成することができる。したがって、剥離性金属箔１４の外縁の端面２２を確実に封止することができる。このため、ビルドアップ配線層形成時における端面２２内における金属箔１６ａ，１６ｂの剥がれや剥離層界面への薬液の染み込み等を効果的に防止することができる。特に、剥離性金属箔１４が樹脂層１２と同じ大きさの場合は、端面２２をテープ等でマスキングして薬液の染み込みを防止することが従前行われていたが、端面封止部２４を予め形成させていることで、そのような煩雑なマスキングが不要となり、製造工程の簡略化を図ることができる。その意味で、端面２２で剥離性金属箔１４の断面が露出しないようにプレスを行うのが好ましい。
【００３９】
より好ましくは、樹脂層１２が剥離性金属箔１４よりも面積が大きく、剥離性金属箔１４の外縁が樹脂層１２の外縁よりも内側に位置し、それにより剥離性金属箔１４の外縁の全域が樹脂で封止されてよい。こうすることで、剥離性金属箔１４の全外縁にわたって端面２２を確実に封止することができる。このため、ビルドアップ配線層形成時における端面２２内における金属箔１６ａ，１６ｂの剥がれや剥離層界面への薬液の染み込み等をより一層確実に防止することができる。この態様に関する好適条件については前述したとおりである。
【００４０】
前述のとおり、樹脂層１２は位置決め孔を有しなくてもよく、その場合は、積層時に剥離性金属箔１４の位置決め孔１８の全てが、樹脂層１２で塞がれた非貫通孔として形成されることになる。また、剥離性金属箔１４は樹脂層１２よりも多い数の位置決め孔１８を有していてもよく、その場合は、積層時に樹脂層１２の位置決め孔と一致しない剥離性金属箔１４の位置決め孔１９が、樹脂層１２で塞がれた非貫通孔として形成されることになる。すなわち、剥離性金属箔１４の位置決め孔１８は図１に示されるように樹脂で埋まっていて非貫通孔とされていてよい。後続の穿孔工程又はプリント配線板製造時に位置決めピンを通すための貫通孔を位置決め孔１８よりも小さい径で形成すれば、孔表面封止部２０は位置決め孔１８の内周面に残存することになるので問題は無い。
【００４１】
前述のとおり、位置決め孔１８に対応する貫通孔に位置決めピンＰを挿入して位置決めを行った場合には、積層後又はプレス後に位置決めピンＰを引き抜くのが好ましい。
【００４２】
（Ｄ）穿孔工程
所望により、プレス後に、積層体１０の非貫通孔を穿孔して、位置決め孔１８よりも小さい径の貫通孔を形成してもよい。貫通孔を位置決め孔１８よりも小さい径で形成すれば、孔表面封止部２０を位置決め孔１８の内周面に残存させることができるので、孔表面封止部２０によってもたらされる所期の効果が損なわれることはない。
【００４３】
プリント配線板の製造方法
上述した本発明によるプリント配線板製造用積層体を用いて、プリント配線板を好ましく製造することができる。特に、本発明のプリント配線板製造用積層体を用いることで、ビルドアップ配線層形成時において、位置決め孔１８内における金属層１６ａ，１６ｂの剥がれや剥離層界面への薬液の染み込み等を効果的に防止することができ、その結果、位置決め孔を用いて高精度にビルドアップ配線層が形成されたプリント配線板を高い歩留まりで製造することが可能となる。
【００４４】
本発明によるプリント配線板の製造においては、図８Ａ及び８Ｂに示されるように、（ａ）上述したプリント配線板製造用積層体１０を用意し、（ｂ）位置決め孔１８の内側に位置決めピンＰを挿入し、樹脂層３０及び所望により金属箔を積層体１０上に積層し、（ｃ）工程（ｂ）で積層された、樹脂層３０及び所望により金属箔を加工してビルドアップ配線層２８を形成し、（ｄ）上記工程（ｂ）及び（ｃ）をこの順に繰り返してビルドアップ配線層付積層体２６を得る。次いで、図９Ａ及び９Ｂに示されるように、（ｅ）ビルドアップ配線層付積層体２６から位置決め孔１８を包含する不要な領域を切除して、剥離性金属層１４の断面を露出させ、（ｆ）ビルドアップ配線層付支持体を剥離層で分離してビルドアップ配線層を含む多層配線板を得、（ｈ）多層配線板を加工してプリント配線板を得る。
【００４５】
（ａ）積層体の準備
本発明によるプリント配線板製造用積層体１０（以下、積層体１０）を用意する。積層体１０の構成及びその製造方法については前述したとおりである。積層体１０は、１回の積層に用いられる位置決め孔の数をＮ１、積層体１０の片側に積層されるべきビルドアップ配線層の数をＮＢＵとした場合に、積層体１０の片面における剥離性金属層の位置決め孔の数が、Ｎ１×ＮＢＵ以上である（ただし、Ｎ１が２以上の整数であり、ＮＢＵが１以上の整数である）のが好ましい。これは、ビルドアップ配線層を１層形成する度に前回積層時とは別の位置決め孔１８を使用することが望ましいからである。１回の積層に用いられる位置決め孔の数Ｎ１は好ましくは３以上であり、より好ましくは４であり、この場合、剥離性金属層１４の四隅に形成されるのが特に好ましい。積層体の片側に積層されるべきビルドアップ配線層の数ＮＢＵは３以上が好ましい。例えば、Ｎ１が４であり、かつ、ＮＢＵが２以上であるのが好ましい。なお、樹脂層１２に剥離性金属箔１４を積層させる際の位置決め用にも位置決め孔１８を形成した場合、積層体の片面における剥離性金属層１４の位置決め孔１８の数は積層回数が１回増えてＮ１×（ＮＢＵ＋１）以上となる。
【００４６】
次工程（ｂ）の位置決めピンＰの挿入に先立ち、位置決めピンＰが挿入されるべき位置決め孔１８の内側を穿孔して、位置決め孔１８よりも小さい貫通孔を形成しておくのが好ましい。貫通孔の径を位置決め孔１８の径よりも小さくすることで、位置決め孔１８の内周面に孔表面封止部２０を残存させることができ、その結果、剥離性金属層１４の断面を十分に保護して、位置決め孔１８内剥離や薬液の染み込み等を防止することができる。
【００４７】
（ｂ）積層工程
図８Ａに示されるように、位置決め孔１８の内側に位置決めピンＰを挿入し、（ビルドアップ配線層形成用の）樹脂層３０（絶縁層）及び所望により金属箔を積層体上に積層する。本発明の積層体１０においては高精度に位置決め孔１８を極めて高い精度で形成することができ、それにより樹脂層３０等を極めて正確な位置で積層させることができる。位置決めピンＰは丸型、角型等の種々の断面形状であることができる。
【００４８】
（ｃ）ビルドアップ配線層の形成工程
図８Ａに示されるように、上記工程（ｂ）で積層された樹脂層３０（絶縁層）及び所望により金属箔を加工してビルドアップ配線層２８を形成する。工程（ｂ）及び（ｃ）において採用可能なビルドアップ工法は特に限定されず、サブトラクティブ法、ＭＳＡＰ（モディファイド・セミ・アディティブ・プロセス）法、ＳＡＰ（セミアディティブ）法、フルアディティブ法等が使用可能である。例えば、樹脂層３０及び銅箔に代表される金属箔を同時にプレス加工で張り合わせる場合は、ビアホール等の層間導通手段３４の形成と組み合わせて、当該金属箔をエッチング加工して、配線パターン３２を形成することができる。また、剥離性金属層１４の表面に樹脂層３０のみをプレス加工により張り合わせる場合は、その表面にセミアディティブ法で配線パターン３２を形成することもできる。
【００４９】
本発明の好ましい態様によれば、（ｃ）工程におけるビルドアップ配線層２８の形成に先立ち、剥離性金属層１４の表面に配線を形成することもできる。すなわち、ビルドアップ配線層２８を形成する最初の段階で、剥離性金属層１４の表面に、メッキレジスト等を用いて、配線形成を行う部分以外を被覆して配線形成を行う部位に銅等からなる配線パターンを予め形成して用いてもよい。また、配線形成を行う部位に金、錫、ニッケル等からなる配線パターンを予め形成して用いてもよい。こうすることで、一面側の外層配線パターンが既に組み込まれた状態の、ビルドアップ配線層付積層体２６を得ることができる。これは本発明の積層体を用いることによる一つの利点である。というのも、特許文献２のように剥離性金属層の表面が樹脂層で覆われた場合と異なり、剥離性金属層１４上に回路形成を直接行う場合においても、位置決め孔１８内における金属層の剥離や薬液の染み込みを防止できるからである。
【００５０】
（ｄ）ビルドアップ配線層形成のための繰り返し工程
上記工程（ｂ）及び（ｃ）をこの順に繰り返してビルドアップ配線層付積層体２６を得る。この工程では、積層体１０の両面（すなわち剥離性金属層１４の各表面）に、樹脂層３０と配線パターン３２を含む配線層とを交互に積層配置したビルドアップ配線層２８を形成して、図８Ｂ及び図９Ａに示されるようなビルドアップ配線層付積層体２６を得る（ただし、図９Ａは後続の切除工程（ｅ）が施された後の状態を示している）。この工程の繰り返しは所望の層数のビルドアップ配線層が形成されるまで行えばよい。この段階で、必要に応じて、外層面にソルダーレジスト３８を形成してもよい。また、ビルドアップ配線層の最外層面は後続プリント配線板の形成工程（ｈ）で外層配線パターン３６形成してもよい。
【００５１】
ここで、（ｄ）工程において繰り返される場合の（ｂ）工程において、位置決めピンＰが、既に位置決めピンＰが挿入された位置決め孔以外の位置決め孔１８の内側に挿入されるのが好ましい。なお、繰り返される場合の（ｂ）工程に先立ち、既に前回の（ｂ）工程で挿入された位置決めピンＰが抜かれるべきことはいうまでもない。
【００５２】
（ｅ）切除工程
ビルドアップ配線層付積層体２６から位置決め孔１８を包含する不要な領域を切除して、剥離性金属層１４の断面を露出させる。これは、位置決め孔１８を有する領域は製品化に適さないためである。また、剥離性金属層１４の断面を露出させることで、後続の分離工程（ｆ）において金属層１６ｂを他方の金属層１６ａから分離しやすくなる。
【００５３】
（ｆ）分離工程
ビルドアップ配線層付積層体２６を剥離層で分離して前記ビルドアップ配線層を含む多層配線板を得る。この工程では、上記工程により得られたビルドアップ配線層付積層体２６を、金属層１６ｂと剥離層１５との界面で分離して、互いに分離された多層金属張積層板４０を得る。金属層１６ｂと剥離層１５との界面での分離は、金属層１６ｂ及び／又は金属層１６ａを引き剥がすことにより行うことができる。
【００５４】
（ｈ）プリント配線板の形成工程
多層配線板を加工してプリント配線板を得る。この工程では、上記分離工程により得られた多層金属張積層板４０の各々を用いて、所望の多層プリント配線板に加工する。多層金属積層板から多層プリント配線板への加工方法は公知の種々の方法を採用すればよい。例えば、多層金属張積層板４０の外層にある金属層１６ｂをエッチング加工して外層回路配線を形成して、多層プリント配線板を得ることができる。また、多層金属張積層板４０の外層にある金属層１６ｂを、完全にエッチング除去し、そのままの状態で多層プリント配線板として使用することもできる。さらに、多層金属張積層板４０の外層にある金属層１６ｂを、完全にエッチング除去し、露出した樹脂層の表面に、導電性ペーストで回路形状を形成する又はセミアディティブ法等で外層回路を直接形成する等して多層プリント配線板とすることも可能である。
【００５５】
なお、上記例は両面に剥離性金属層１４を備えた積層体１０を用いた製造例であるが、片面にのみ剥離性金属層１４を備えた積層体１０にも当該片面に関して同様に適用可能であることはいうまでもない。
【図１】
0006469010.tif 000002
【図２】
0006469010.tif 000003
【図３】
0006469010.tif 000004
【図４】
0006469010.tif 000005
【図５】
0006469010.tif 000006
【図６】
0006469010.tif 000007
【図７】
0006469010.tif 000008
【図８Ａ】
0006469010.tif 000009
【図８Ｂ】
0006469010.tif 000010
【図９Ａ】
0006469010.tif 000011
【図９Ｂ】
0006469010.tif 000012